(57)【要約】【課題】  制御の応答性及び軸方向の温度分布（温度勾配）に対する制御性を高めるとともに、消費電力の低減による省エネルギ性の向上を図る。【解決手段】  加熱筒本体２ｍにおける外周面２ｍｓに少なくとも複数の加熱部３ａ，３ｂ，３ｃ…を軸方向Ｆｓに沿って付設した温調機構３ｍを有する加熱筒２を覆う加熱筒カバーを構成するに際して、加熱筒２に取付けることにより温調機構３ｍとの間に所定の遮蔽空間Ｓを形成して加熱筒２の少なくとも上半部２ｕを覆うカバー体部５ｍと、このカバー体部５ｍの内面５ｍｉから温調機構３ｍに向けて突出し、遮蔽空間Ｓを複数の閉空間Ｓａｂ，Ｓｃｄ…に分割する複数の仕切部５ａ，５ｂｃ，５ｄｅ…とを一体に設けた保温カバー部５を備える。【選択図】  図１
2018001713.tif 000002
【特許請求の範囲】
【請求項１】
加熱筒本体における外周面に少なくとも複数の加熱部を軸方向に沿って付設した温調機構を有する加熱筒を覆う射出成形機の加熱筒カバーにおいて、前記加熱筒に取付けることにより前記温調機構との間に所定の遮蔽空間を形成して前記加熱筒の少なくとも上半部を覆うカバー体部と、このカバー体部の内面から前記温調機構に向けて突出し、前記遮蔽空間を複数の閉空間に分割する複数の仕切部とを一体に設けた保温カバー部を備えることを特徴とする射出成形機の加熱筒カバー。
【請求項２】
前記カバー体部は、一枚のプレート部材を用いた単層構造，又は複数のプレート部材を所定の隙間を介して積層した複層構造により構成することを特徴とする請求項１記載の射出成形機の加熱筒カバー。
【請求項３】
前記仕切部は、前記加熱筒における異なる加熱領域毎に配することを特徴とする請求項１記載の射出成形機の加熱筒カバー。
【請求項４】
加熱筒本体における外周面に少なくとも複数の加熱部を軸方向に沿って付設した温調機構を有する加熱筒及びこの加熱筒を覆う加熱筒カバーを備える射出成形機の加熱筒装置において、前記加熱筒に取付けることにより前記温調機構との間に所定の遮蔽空間を形成して前記加熱筒の少なくとも上半部を覆うカバー体部と、このカバー体部の内面から前記温調機構に向けて突出し、前記遮蔽空間を複数の閉空間に分割する複数の仕切部とを一体に設けた保温カバー部を有する加熱筒カバーを備えることを特徴とする射出成形機の加熱筒装置。
【請求項５】
前記仕切部は、先端部の少なくとも一部を、前記加熱部の前記軸方向における相互間に生じる隙間に介在させることを特徴とする請求項４記載の射出成形機の加熱筒装置。
【請求項６】
前記閉空間は、前記加熱筒における異なる加熱領域毎に設定することを特徴とする請求項４記載の射出成形機の加熱筒装置。
【請求項７】
前記温調機構は、前記外周面の周方向に沿って付設したバンドヒータを用いた加熱部を備えることを特徴とする請求項４記載の射出成形機の加熱筒装置。
【請求項８】
前記温調機構は、前記外周面と前記バンドヒータ間に設けた空気通路により構成する空冷式の冷却部を備えることを特徴とする請求項７記載の射出成形機の加熱筒装置。
【請求項９】
前記加熱筒カバーは、前記カバー体部の外方に配設して当該カバー体部の一部又は全部を覆う少なくとも一部に多孔面を形成した保護カバー部を備えることを特徴とする請求項４記載の射出成形機の加熱筒装置。
【請求項１０】
前記保護カバー部は、前記加熱筒の径方向における左右両側に、前記加熱筒側に取付ける取付部を備えるとともに、少なくとも当該左右両側における操作面を配した側の取付部は、外方に突出部を生じない係止構造に構成することを特徴とする請求項９記載の射出成形機の加熱筒装置。
【請求項１１】
前記加熱筒カバーは、前記カバー体部を、前記加熱筒の上半部を覆う形状に形成するとともに、前記加熱筒の下半部を覆う少なくとも一部に多孔面を形成した下保護カバー部を備えることを特徴とする請求項４記載の射出成形機の加熱筒装置。
【請求項１２】
前記下保護カバー部は、前記加熱筒の径方向における左右両側に、前記加熱筒側に取付ける取付部を備えるとともに、少なくとも当該左右両側における操作面を配した側の取付部は、外方に突出部を生じない係止構造に構成することを特徴とする請求項１１記載の射出成形機の加熱筒装置。
【発明の詳細な説明】
【技術分野】
【０００１】
本発明は、加熱筒本体の外周面に少なくとも複数の加熱部を軸方向に沿って付設してなる加熱筒に用いて好適な射出成形機の加熱筒カバー及び加熱筒装置に関する。
【背景技術】
【０００２】
一般に、射出成形機の射出装置を構成する加熱筒は、内部に供給される樹脂材料を溶融状態に維持するため、外周面に、軸方向に沿って複数の加熱部を付設することにより、３００〔℃〕前後の高温状態に加熱するとともに、軸方向に最適な温度分布が得られるように各加熱領域毎に温度制御が行われる。このため、保温性を確保して省エネルギ性を高めるとともに、オペレータに対する接触防止を目的として、加熱筒の周囲を覆う加熱筒カバーを付設している。
【０００３】
従来、この種の加熱筒カバー類としては、特許文献１に開示される加熱筒保温装置、特許文献２に開示される加熱筒保護カバー、特許文献３に開示される保温方法、特許文献４に開示される温調機構が知られている。
特許文献１の加熱筒保温装置は、プラスチック成形機の消費電力を低減すると共に保温効果を高めることを目的としたものであり、具体的には、ステンレス材を用い２重構造とした保温カバー表面を鏡面に仕上げ、加熱筒表面から放射された熱線（電磁波）を加熱筒に向かって反射させ、また、内側の反射板より反加熱筒側に放射された熱線（電磁波）を外側の反射板で加熱筒側に反射させると共に空気層が保温材の役割を兼ね備え効率的な保温状態を保つようにしたものである。
【０００４】
特許文献２に開示される加熱筒保護カバーは、カバーの表面から外気への放熱能力を増加させて、カバーの表面温度を低く抑えることを目的としたものであり、具体的には、ノズルを装着した加熱筒が取り付けられた樹脂射出機構部と、加熱筒で加熱され溶融された溶融樹脂がキャビティ内に注入される金型のうち固定側金型が取り付けられる固定プラテンと、樹脂供給口から投入された材料を加熱溶融する加熱筒の外周を覆う加熱筒保護カバーとを備え、その加熱筒保護カバーの外側表面の少なくとも一部に放熱塗料が塗布されたものである。
【０００５】
特許文献３に開示される保温方法は、射出シリンダの外周面に断熱カバーを巻き付けて保温する場合に比べて射出シリンダを高い精度で温度制御し、高品質の成形品を成形するとともに、射出シリンダに対して保温ジャケットを簡易に着脱可能にして成形作業を効率化することを目的としたものであり、具体的には、ノズルタッチ部を除いた射出シリンダの外周面に対し、断熱材が内包された保温ジャケットを、所要幅の空隙を介して全体的に巻き付けて射出シリンダの各部位を所定の設定温度に保つようにしたものである。
【０００６】
特許文献４に開示される温調機構は、断熱材を用いて省エネ効果が得られながらも、簡易にオーバーシュートを抑制できるようにすることを目的としたものであり、具体的には、ヒータにより加熱されると共に内部で樹脂を溶融させて、溶融樹脂を吐出させる加熱シリンダと、少なくともヒータの配置部分において、加熱シリンダの周方向全周を覆う断熱材と、加熱シリンダの温度に応じて、断熱材の少なくとも一部を加熱シリンダから剥離させる調温機構と、を備えて構成したものである。
【先行技術文献】
【特許文献】
【０００７】
【特許文献１】特開２００４−２９１５４５号公報
【特許文献２】特開２０１３−２２６８１６号公報
【特許文献３】特開２０１０−０８３０９０号公報
【特許文献４】特開２００９−１７２９５７号公報
【発明の概要】
【発明が解決しようとする課題】
【０００８】
しかし、上述した特許文献１〜４に開示される従来の加熱筒カバー類は、次のような問題点があった。
【０００９】
即ち、いずれの加熱筒カバー類も、断熱性を確保し、保温性を高めることにより、消費電力を低減し、省エネルギ性を高めることを企図しているが、保温性を高めることは、反面、温度を速やかに低下させることができないことを意味するため、制御性（応答性）を確保する観点からはマイナス要因となる。このため、特許文献３及び４のように、断熱性能をいわば調整できるようにした構造も提案されているが、構造が複雑化するとともに、煩わしい操作を伴うなど、必ずしも適切な改善策とは言い難い。
【００１０】
また、通常、加熱筒の軸方向に沿って配した複数の加熱部により、軸方向に最適な温度分布が得られるように各加熱領域毎に温度制御を行っているが、保温性を高めることは、加熱筒カバー類の内側に高温の空気を閉じ込めることになり、軸方向の温度分布（温度勾配）を平均化させる作用も強くなる。結局、この場合、正規の温度分布を維持しようとする制御作用により消費電力が大きくなるなど、必ずしも十分な消費電力の低減及び省エネルギ性が図られているとは言い難い。
【００１１】
本発明は、このような背景技術に存在する課題を解決した射出成形機の加熱筒カバー及び加熱筒装置の提供を目的とするものである。
【課題を解決するための手段】
【００１２】
本発明に係る射出成形機Ｍの加熱筒カバー１は、上述した課題を解決するため、加熱筒本体２ｍにおける外周面２ｍｓに少なくとも複数の加熱部３ａ，３ｂ，３ｃ…を軸方向Ｆｓに沿って付設した温調機構３ｍを有する加熱筒２を覆う加熱筒カバーを構成するに際して、加熱筒２に取付けることにより温調機構３ｍとの間に所定の遮蔽空間Ｓを形成して加熱筒２の少なくとも上半部２ｕを覆うカバー体部５ｍと、このカバー体部５ｍの内面５ｍｉから温調機構３ｍに向けて突出し、遮蔽空間Ｓを複数の閉空間Ｓａｂ，Ｓｃｄ…に分割する複数の仕切部５ａ，５ｂｃ，５ｄｅ…とを一体に設けた保温カバー部５を備えることを特徴とする。
【００１３】
一方、本発明に係る射出成形機Ｍの加熱筒装置Ｈは、上述した課題を解決するため、加熱筒本体２ｍにおける外周面２ｍｓに少なくとも複数の加熱部３ａ，３ｂ，３ｃ…を軸方向Ｆｓに沿って付設した温調機構３ｍを有する加熱筒２及びこの加熱筒２を覆う加熱筒カバーを備える加熱筒装置を構成するに際して、加熱筒２に取付けることにより温調機構３ｍとの間に所定の遮蔽空間Ｓを形成して加熱筒２の少なくとも上半部２ｕを覆うカバー体部５ｍと、このカバー体部５ｍの内面から温調機構３ｍに向けて突出し、遮蔽空間Ｓを複数の閉空間Ｓａｂ，Ｓｃｄ…に分割する複数の仕切部５ａ，５ｂｃ，５ｄｅ…とを一体に設けた保温カバー部５を有する加熱筒カバー１を備えてなることを特徴とする。
【００１４】
この場合、発明の好適な態様により、加熱筒カバー１を構成するに際し、カバー体部５ｍは、一枚のプレート部材を用いた単層構造，又は複数のプレート部材１１ｐ，１１ｑを所定の隙間Ｓｐを介して積層した複層構造１１により構成することができる。また、仕切部５ａ，５ｂｃ…（閉空間Ｓａｂ，Ｓｃｄ…）は、加熱筒２における異なる加熱領域Ｚｆ，Ｚｍ…毎に設けることができる。他方、加熱筒装置Ｈを構成するに際しては、仕切部５ａ，５ｂｃ…は、先端部の少なくとも一部を、加熱部３ａ，３ｂ…の軸方向Ｆｓにおける相互間に生じる隙間Ｓｇ…に介在させることができる。なお、温調機構３ｍには、外周面２ｍｓの周方向Ｆｆに沿って付設したバンドヒータＢ…を用いた加熱部３ａ，３ｂ…を設けることができるとともに、外周面２ｍｓとバンドヒータＢ…間に設けた空気通路により構成する空冷式の冷却部４ａ，４ｂ，４ｃ…を設けることができる。また、加熱筒カバー１には、保温カバー部５の外方に配設してカバー体部５ｍの一部又は全部を覆う少なくとも一部に多孔性を有する保護カバー部１２を設けることができる。この保護カバー部１２の取付けに際しては、加熱筒２の径方向Ｆｄにおける左右両側に、加熱筒２側に取付ける取付部１３ｆ…，１３ｒ…を設けるとともに、少なくとも当該左右両側における操作面１００を配した側の取付部１３ｆ…は、外方に突出部を生じない係止構造に構成することができる。さらに、加熱筒カバー１には、保温カバー部５を、加熱筒２の上半部２ｕを覆う形状に形成するとともに、加熱筒２の下半部２ｄを覆う少なくとも一部に多孔性を有する下保護カバー部１４を設けることができる。この下保護カバー部１４の取付けに際しては、加熱筒２の径方向Ｆｄにおける左右両側に、加熱筒２側に取付ける取付部１５ｆ…，１５ｒ…を設けるとともに、少なくとも当該左右両側における操作面１００を配した側の取付部１５ｆ…は、外方に突出部を生じない係止構造に構成することができる。
【発明の効果】
【００１５】
このような構成を有する本発明に係る射出成形機Ｍの加熱筒カバー１及び加熱筒装置Ｈによれば、次のような顕著な効果を奏する。
【００１６】
（１）  加熱筒カバー１は、加熱筒２に取付けることにより温調機構３ｍとの間に所定の遮蔽空間Ｓを形成して加熱筒２の少なくとも上半部２ｕを覆うカバー体部５ｍと、このカバー体部５ｍの内面５ｍｉから温調機構３ｍに向けて突出し、遮蔽空間Ｓを複数の閉空間Ｓａｂ，Ｓｃｄ…に分割する複数の仕切部５ａ，５ｂｃ…とを一体に設けた保温カバー部５を備えるため、基本的な作用効果である、保温性の向上による消費電力の低減及び省エネルギ性の向上を図れることに加え、特に、加熱部３ａ，３ｂ…による空気の対流（移動）が仕切部５ａ，５ｂｃ…により阻止及び断熱されるため、任意の閉空間Ｓａｂ，Ｓｃｄ…による他の閉空間Ｓａｂ，Ｓｃｄ…への影響（干渉）を大きく低減できる。この結果、各閉空間Ｓａｂ，Ｓｃｄ…単位における温度制御の応答性を高めることができるとともに、軸方向Ｆｓの温度分布（温度勾配）に対する制御性を高めることができる。しかも、結果的に更なる消費電力の低減による省エネルギ性の向上にも寄与できる。
【００１７】
（２）  好適な態様により、カバー体部５ｍは、一枚のプレート部材を用いた単層構造，又は複数のプレート部材１１ｐ，１１ｑを所定の隙間Ｓｐを介して積層した複層構造１１により構成できるなど、全体の保温性（断熱性）を任意に設定できるため、様々なグレードや性能要求に対して柔軟に応えることができる。
【００１８】
（３）  好適な態様により、仕切部５ａ，５ｂｃ…における先端部の少なくとも一部を、加熱部３ａ，３ｂ…の軸方向Ｆｓにおける相互間に生じる隙間Ｓｇ…に介在させるようにすれば、仕切部５ａ，５ｂｃ…を加熱部３ａ，３ｂ…に対して径方向Ｆｄにオーバーラップさせ、仕切部５ａ，５ｂｃ…により形成される閉空間Ｓａｂ，Ｓｃｄ…の閉塞性をより高めることができるため、更なる制御の応答性及び制御性の向上に寄与できるとともに、組付性及び組付強度の向上にも寄与できる。
【００１９】
（４）  好適な態様により、仕切部５ａ，５ｂｃ…（閉空間Ｓａｂ，Ｓｃｄ…）を、加熱筒２における異なる加熱領域Ｚｆ，Ｚｍ…毎に設ければ、各加熱領域Ｚｆ，Ｚｍ…毎に設定される設定温度に対する追従性（制御性）をより高めることができる。
【００２０】
（５）  好適な態様により、温調機構３ｍに、外周面２ｍｓの周方向Ｆｆに沿って付設したバンドヒータＢ…を用いた加熱部３ａ，３ｂ…を設ければ、従来より一般的に用いられている加熱部３ａ，３ｂ…に対してそのまま適用できるとともに、従来の加熱筒カバーを構成部品の一部として利用できるなど、実施に際しての変更や追加がほとんど不要になるため、汎用性を確保できるとともに、容易かつ低コストに実施できる。
【００２１】
（６）  好適な態様により、温調機構３ｍに、外周面２ｍｓとバンドヒータＢ…間に設けた空気通路により構成する空冷式の冷却部４ａ，４ｂ…を設ければ、冷却側に対する制御の応答性及び制御性を高めることができるため、全体の制御性をより高めることができる。
【００２２】
（７）  好適な態様により、加熱筒カバー１を構成するに際して、保温カバー部５の外方に配設してカバー体部５ｍの一部又は全部を覆う少なくとも一部に多孔性を有する保護カバー部１２を設けて構成すれば、オペレータに対する高温部分からの保護を図れるため、より安全性を高めることができるとともに、保温性の安定化及び更なる保温性の向上にも寄与できる。
【００２３】
（８）  好適な態様により、保護カバー部１２の取付けに際して、加熱筒２の径方向Ｆｄにおける左右両側に、加熱筒２側に取付ける取付部１３ｆ…，１３ｒ…を設けるとともに、少なくとも当該左右両側における操作面１００を配した側の取付部１３ｆ…を、外方に突出部を生じない係止構造に構成すれば、オペレータが作業するエリアにおける無用な突出部分を排除できるため、作業性及び安全性、更にはデザイン性（形状性）の向上に寄与できる。
【００２４】
（９）  好適な態様により、加熱筒カバー１を構成するに際して、保温カバー部５を、加熱筒２の上半部２ｕを覆う形状に形成するとともに、加熱筒２の下半部２ｄを覆う少なくとも一部に多孔性を有する下保護カバー部１４を設けて構成すれば、オペレータに対する下半部高温部位からの保護を図れるため、より安全性を高めることができるとともに、特に、高温の空気が対流しない加熱筒２の下半部２ｄは保温機能が不要になり、下保護カバー部１４のみで足りるため、構成部材の削減による低コスト性及び組立性の向上に寄与できる。
【００２５】
（１０）  好適な態様により、下保護カバー部１４の取付けに際して、加熱筒２の径方向Ｆｄにおける左右両側に、加熱筒２側に取付ける取付部１５ｆ…，１５ｒ…を設けるとともに、少なくとも当該左右両側における操作面１００を配した側の取付部１５ｆ…を、外方に突出部を生じない係止構造に構成すれば、オペレータが作業するエリアにおける無用な突出部分を排除できるため、作業性及び安全性、更にはデザイン性（形状性）の向上に寄与できる。
【図面の簡単な説明】
【００２６】
【図１】本発明の好適実施形態に係る加熱筒カバーを有する加熱筒装置の一部抽出拡大図を含む一部断面側面図、
【図２】同加熱筒装置の図３中Ａ−Ａ線の一部抽出拡大図を含む断面正面図、
【図３】同加熱筒装置の全体を示す外観側面図、
【図４】同加熱筒装置を備える射出装置の制御系を含む全体構成図、
【図５】同加熱筒装置に備える加熱筒カバーを部品単位で分解した斜視図、
【図６】同加熱筒装置の加熱筒カバーを構成するカバー体部の内面斜視図、
【図７】同加熱筒装置を用いた成形時におけるショット数に対する加熱筒電力量の変化特性図、
【図８】同加熱筒装置を用いた成形時におけるショット数に対するヒータ出力率の変化特性図、
【図９】同加熱筒装置を用いた成形時におけるショット数に対する樹脂温度の変化特性図、
【発明を実施するための形態】
【００２７】
次に、本発明に係る好適実施形態を挙げ、図面に基づき詳細に説明する。
【００２８】
まず、本実施形態に係る加熱筒カバー１を備える加熱筒装置Ｈの構成について、図１〜図６を参照して説明する。
【００２９】
図４中、Ｍｉは射出装置であり、この射出装置Ｍｉと不図示の型締装置により射出成形機Ｍが構成される。本実施形態に係る加熱筒装置Ｈは、この射出装置Ｍｉの概ね前半部分が含まれる。
【００３０】
加熱筒装置Ｈは、大別して、加熱筒２及びこの加熱筒２を覆う本実施形態に係る加熱筒カバー１を備える。この場合、加熱筒２には、加熱筒本体２ｍ及びこの加熱筒本体２ｍの外側に配した温調機構３ｍが含まれる。
【００３１】
加熱筒本体２ｍは、前端に射出ノズル２ｎを有するとともに、加熱筒本体２ｍの後端は、加熱筒本体２ｍの内部に成形材料を供給するホッパー２１ｈを有する材料供給部２１に結合する。また、加熱筒本体２ｍの内部にはスクリュ２２を挿入し、このスクリュ２２の後端は、材料供給部２１の後方に延出することにより、当該スクリュ２２を回転駆動及び進退駆動する詳細を省略したスクリュ駆動部２３に接続する。
【００３２】
そして、加熱筒本体２ｍの外周面２ｍｓ及び射出ノズル２ｎの外周面２ｎｓに温調機構３ｍを付設する。温調機構３ｍは、射出ノズル２ｎの外周面２ｎｓに付設した加熱部３ｓを備えるとともに、加熱筒本体２ｍの外周面２ｍｓの軸方向Ｆｓに沿って付設した複数の加熱部３ａ，３ｂ，３ｃ，３ｄ，３ｅ，３ｆ及び冷却部４ａ，４ｂ，４ｃ，４ｄ，４ｅ，４ｆを備える。この場合、各加熱部３ａ，３ｂ…３ｆには、外周面２ｍｓの周方向Ｆｆに沿って付設した（巻いた）バンドヒータＢ…を用いる。一般に、加熱部３ａ，３ｂ…３ｆには、従来よりバンドヒータＢ…が用いられている。本実施形態に係る加熱筒装置Ｈは、このようなバンドヒータＢ…を用いた加熱部３ａ，３ｂ…３ｆに対してそのまま最適な形態により適用できる。したがって、後述するように、従来の加熱筒カバーを構成部品の一部として利用できるなど、実施に際しての変更や追加がほとんど不要になるため、汎用性を確保できるとともに、容易かつ低コストに実施できる利点がある。
【００３３】
また、冷却部４ａ，４ｂ…４ｆには、外周面２ｍｓとバンドヒータＢ…間に設けた空気通路（エアジャケット）により空冷式により構成する。この空気通路は、図示を省力したが、図２及び図５に示すように、例えば、冷却部４ｅ（他の冷却部４ａ，４ｂ…も同じ）の場合には、外周面２ｍｓとバンドヒータＢ間に、ジグザグパターン又は平行に配した多数のパターンなどのスリットを形成したプレート部材Ｃを介在させ、このスリットの一端に連通するエア供給口３２を設けて構成する。なお、スリットの他端は不図示のエア排出口に連通させることにより大気に開放される。このような冷却部４ａ，４ｂ…４ｆを設ければ、冷却側に対する制御の応答性及び制御性も高めることができるため、全体の制御性をより高めることができる利点がある。図２中、３３は熱電対を用いた温度センサＴ（図４参照）の取付口（挿入口）を示す。
【００３４】
この場合、加熱部３ｓは射出ノズル３（ノズル加熱領域）を、また、冷却部４ａを含む加熱部３ａ及び冷却部４ｂを含む加熱部３ｂは、加熱筒本体２ｍの前部（前部加熱領域Ｚｆ）を、冷却部４ｃを含む加熱部３ｃ及び冷却部４ｄを含む加熱部３ｄは、加熱筒本体２ｍの中間部（中間部加熱領域Ｚｍ）を、冷却部４ｅを含む加熱部３ｅは、加熱筒本体２ｍの後部前側（後部前側加熱領域Ｚｒｆ）を、冷却部４ｆを含む加熱部３ｆは、加熱筒本体２ｍの後部後側（後部後側加熱領域Ｚｒｒ）を、それぞれ加熱又は冷却（空冷）する。このように、加熱筒本体２ｍにおける異なる加熱領域となる、前部加熱領域Ｚｆ，中間部加熱領域Ｚｍ，後部前側加熱領域Ｚｒｆ，後部後側加熱領域Ｚｒｒに、冷却部４ａ…を含む加熱部３ａ…を設ければ、特に、スクリュ２２の回転により樹脂材料が剪断される際の剪断熱の発生部位における無用な温度上昇を抑制できるため、良好な温度制御を実現し、成形品質の向上に寄与できる。
【００３５】
なお、図４中、Ｄは本実施形態に係る加熱筒装置Ｈに対する駆動制御系を示す。４１は、コンピュータシステムにより構成した成形機コントローラであり、射出成形機Ｍにおける全体の制御を司る機能を備える。４２は給電部であり、この給電部４２の出力部は各加熱部３ａ，３ｂ…を構成するバンドヒータＢ…に接続するとともに、給電部４２の制御入力部は成形機コントローラ４１に接続する。４３はエアポンプ及びバルブを含むエア供給部であり、このエア供給部４３の出力部は各冷却部４ａ，４ｂ…のエア供給口３２…に接続するとともに、エア供給部４３の制御入力部は成形機コントローラ４１に接続する。また、加熱筒本体２ｍにおける各部位の温度を検出する温度センサＴ…は成形機コントローラ４１に接続する。そして、成形機コントローラ４１から、給電部４２に対して加熱制御信号が付与されるとともに、エア供給部４３に対して冷却制御信号が付与される。
【００３６】
次に、本実施形態に係る加熱筒カバー１の構成について、図１〜図６を参照して具体的に説明する。
【００３７】
加熱筒カバー１は、大別して、保温カバー部５，保護カバー部（上保護カバー部）１２，下保護カバー部１４を備える。この場合、保温カバー部５は、本発明の要部を構成し、加熱筒２の上半部２ｕを覆う形状を有するとともに、上保護カバー部１２は、この保温カバー部５の外方に配設して当該保温カバー部５を覆う形状を有し、さらに、下保護カバー部１４は、加熱筒２の下半部２ｄを覆う形状を有する。
【００３８】
最初に、保温カバー部５の構成について説明する。保温カバー部５は、加熱筒２に取付けることにより温調機構３ｍとの間に所定の遮蔽空間Ｓを形成して加熱筒２の上半部２ｕを覆うカバー体部５ｍを備えるとともに、このカバー体部５ｍの内面５ｍｉから温調機構３ｍに向けて突出し、遮蔽空間Ｓを複数の閉空間Ｓａｂ，Ｓｃｄ，Ｓｅ…に分割する複数の仕切部５ａ，５ｂｃ，５ｄｅ…とを一体に設けて構成する。
【００３９】
カバー体部５ｍは、図２及び図５に示すように、二枚のプレート部材１１ｐ，１１ｑを所定の隙間Ｓｐを介して積層した複層構造（二層構造）１１により構成する。この場合、一方が内側に配する内プレート部材１１ｐとなり、他方が外側に配する外プレート部材１１ｑとなる。各プレート部材１１ｐ，１１ｑの形成素材は、高温環境に晒されるため、耐熱性を有する金属素材が望ましいが、特定の素材に限定されるものではない。例示の場合、内プレート部材１１ｐにはスチール素材を使用し、外プレート部材１１ｑにはステンレス素材を用いた。厚さは、いずれの場合も強度や加工性等を考慮して任意に選定することができる。
【００４０】
なお、実施形態で示したカバー体部５ｍは、二枚のプレート部材１１ｐ，１１ｑを所定の隙間Ｓｐを介して積層した二層構造１１としたが、一枚のプレート部材を用いた単層構造であってもよいし、必要により、三枚以上のプレート部材１１ｐ…を所定の隙間Ｓｐ…を介して積層した複層構造であってもよく、特定の層数に限定されるものではない。このように、カバー体部５ｍは、様々な層数構造により実施できるため、全体の保温性（断熱性）を任意に設定できるなど、様々なグレードや性能要求に対して柔軟に応えることができる。
【００４１】
また、内プレート部材１１ｐは、加熱筒２における前側の加熱部３ａから後側の加熱部３ｆを覆う長さに選定するとともに、断面形状は図２に示すように、加熱筒２の上半部２ｕを覆う形状に形成する。例示の形状は、半八角形となるが、その他の半多角形や半円形など、同様の機能を有する各種形状を選定可能である。一方、カバー体部５ｍの内面となる内プレート部材１１ｐの内面５ｍｉには、図１及び図６に示すように、この内面５ｍｉから温調機構３ｍに向けて略直角に突出し、遮蔽空間Ｓを複数（例示は四つ）の閉空間Ｓａｂ，Ｓｃｄ，Ｓｅ，Ｓｆに分割する複数（例示は五つ）の仕切部５ａ，５ｂｃ，５ｄｅ，５ｅｆ，５ｆを一体に設ける。
【００４２】
この場合、内プレート部材１１ｐの前端と後端に位置する仕切部５ａと仕切部５ｆは、内プレート部材１１ｐに兼用し、この内プレート部材１１ｐの前端部分と後端部分をプレス加工等により折曲して一体形成できるとともに、中間に位置する仕切部５ｂｃ，５ｄｅ，５ｅｆは、別途形成したＵ形プレート部材を溶接等により固定できる。したがって、中間に位置する各仕切部５ｂｃ，５ｄｅ，５ｅｆは、内プレート部材１１ｐと同一素材（同一の厚さ）により形成する。これにより、内プレート部材１１ｐに対して、各仕切部５ａ，５ｂｃ，５ｄｅ，５ｅｆ，５ｆは一体となる。
【００４３】
さらに、この内プレート部材１１ｐは、加熱筒本体２ｍ側に直接取付けて使用する。この場合、図１に示すように、前端の仕切部５ａの内端辺５ａｓを、加熱部３ａ（冷却部４ａ）の前側に位置する加熱筒本体２ｍの外周面２ｍｓに当接（係止）させるとともに、内プレート部材１１ｐの後端部内面を、図５に示す加熱筒本体２ｍの後端に設けたこの加熱筒本体２ｍよりも大径となるフランジ部２ｍｆの外周面２ｍｆｓに載置し、図３に示すように、固定ボルト５１…により固定することができる。したがって、後端の仕切部５ｆは、フランジ部２ｍｆの後端面に対向して位置する。
【００４４】
また、他の仕切部５ｂｃ，５ｄｅ，５ｅｆは、図１及び図３に示すように、各加熱部３ａ，３ｂ，３ｃ…の軸方向Ｆｓにおける相互間に生じる隙間Ｓｇ…に介在させる。この場合、各冷却部４ａ…を含む各加熱部３ａ…は、加熱筒本体２ｍにおける加熱領域、即ち、前部加熱領域Ｚｆ，中間部加熱領域Ｚｍ，後部前側加熱領域Ｚｒｆ，後部後側加熱領域Ｚｒｒに対応して設けられるため、通常、図１に示すように、各加熱部３ａ…の軸方向Ｆｓにおける相互間に隙間Ｓｇ…が生じるとともに、この隙間Ｓｇ…の深さ、即ち、加熱筒本体２ｍの外周面２ｍｓと加熱部３ａ…の外周面間の深さはＬｍとなる。このため、例えば、仕切部５ｂｃは、図１に示すように、加熱部３ｂと３ｃ間の隙間Ｓｇに介在させることができる。他の仕切部５ｄｅ，５ｅｆも同様であり、仕切部５ｄｅは、図１に示すように、加熱部３ｄと３ｅ間の隙間Ｓｇに介在させることができるとともに、仕切部５ｅｆは、図４に示すように、加熱部３ｅと３ｆ間の隙間Ｓｇに介在させることができる。この際、各仕切部５ｂｃ，５ｄｅ，５ｅｆの内端辺は、加熱筒本体２ｍの外周面２ｍｓに当接（係止）させてもよいし、図１に示すように離間した（浮いた）状態であってもよい。
【００４５】
このように取付ければ、仕切部５ａ，５ｂｃ…を加熱部３ａ，３ｂ…に対して径方向Ｆｄにオーバーラップさせ、仕切部５ａ，５ｂｃ…により形成される閉空間Ｓａｂ，Ｓｃｄ…の閉塞性をより高めることができるため、更なる制御の応答性及び制御性の向上に寄与できるとともに、組付性及び組付強度の向上にも寄与できる利点がある。
【００４６】
一方、内プレート部材１１ｐの外面には、外プレート部材１１ｑ間に対する隙間Ｓｐを形成するための前後一対のセパレータ部材５２，５３を固定する。この場合、前側のセパレータ部材５２は、内プレート部材１１ｐの外面であって、軸方向Ｆｓにおける加熱部３ａと３ｂ間に位置させるとともに、後側のセパレータ部材５３は、内プレート部材１１ｐの外面であって、軸方向Ｆｓにおける加熱部５ｆとフランジ部２ｍｆ間に位置させる。各セパレータ部材５２，５３は、周方向Ｆｆのほぼ全幅に沿って配することが望ましい。
【００４７】
そして、この内プレート部材１１ｐのセパレータ部材５２，５３に対して、略相似形に形成した外プレート部材１１ｑの内面を載置し、固定ボルト５５…等によりセパレータ部材５２，５３上に固定する。以上により、保温カバー部５が構成される。
【００４８】
次に、保温カバー５に付属する上保護カバー部１２及び下保護カバー部１４について説明する。
【００４９】
上保護カバー部１２は、図２及び図５に示すように、保温カバー部５の外方に配設してカバー体部５ｍを覆う形状に形成するとともに、一部（又は全部）に多孔面５５…を形成する。例示の場合、上保護カバー部１２における傾斜面を含む上面に多孔面５５…を設けることにより、十分な通気性を確保している。この場合、上保護カバー部１２によりカバー体部５ｍを覆う範囲は、一部であってもよいし全部であってもよく、その範囲は安全性等を考慮して任意に選定できる。このような上保護カバー部１２を設ければ、オペレータに対する高温部分からの保護を図れるため、より安全性を高めることができるとともに、保温性の安定化及び更なる保温性の向上にも寄与できる利点がある。
【００５０】
また、上保護カバー部１２の取付けに際しては、加熱筒２の径方向Ｆｄにおける左右両側に、加熱筒２側に取付ける取付部１３ｆ…，１３ｒ…を設ける。この場合、加熱筒２側となる加熱筒２に取付けた内プレート部材１１ｐにおける左右両側における操作面１００を配した側に取付部１３ｆ…を設け、他の側に取付部１３ｒ…を設ける。取付部１３ｆ…は、図２に示すように、外方に突出部を生じない係止構造により構成する。即ち、例示の場合、内プレート部材１１ｐの側面における前後位置に差込用のスリット６２ｓ…を形成するとともに、上保護カバー部１２の側面における下端部に、内側に略直角に折曲した折曲部を形成し、この折曲部の先端に、当該スリット６２ｓ…に差し込む突起片６２ｐ…を一体形成した。また、他方の取付部１３ｒ…は、図２に示すボルトナット６１…を用いた一般的な取付構造を採用できる。
【００５１】
このように、上保護カバー部１２の取付けに際し、加熱筒２の径方向Ｆｄにおける左右両側に、加熱筒２側に取付ける取付部１３ｆ…，１３ｒ…を設けるとともに、少なくとも当該左右両側における操作面１００を配した側の取付部１３ｆ…を、外方に突出部を生じない係止構造に構成すれば、オペレータが作業するエリアにおける無用な突出部分を排除できるため、作業性及び安全性、更にはデザイン性（形状性）の向上に寄与できる利点がある。
【００５２】
他方、下保護カバー部１４は、図２及び図５に示すように、加熱筒２の下半部２ｄを覆う形状に形成するとともに、一部又は全部に多孔面５６…を形成する。例示の場合、下保護カバー１４の傾斜面を含む下面に多孔面５６…を設けることにより、十分な通気性を確保している。このように、加熱筒２の下半部２ｄに対するカバーとしては下保護カバー部１４のみで足りる。この場合、下保護カバー部１４により加熱筒２の下半部２ｄを覆う範囲は、一部であってもよいし全部であってもよく、その範囲は安全性等を考慮して任意に選定できる。これにより、オペレータに対する下半部高温部位からの保護を図れるため、より安全性を高めることができるとともに、特に、高温の空気が対流しない加熱筒２の下半部２ｄは保温機能が不要になり、下保護カバー部１４のみで足りるため、構成部材の削減による低コスト性及び組立性の向上に寄与できる利点がある。
【００５３】
また、下保護カバー部１４の取付けに際しては、基本的に、上述した上保護カバー部１２と同様に取付けることができる。即ち、加熱筒２の径方向Ｆｄにおける左右両側に、加熱筒２側に取付ける取付部１５ｆ…，１５ｒ…を設ける。この場合、加熱筒２側となる加熱筒２に取付けた内プレート部材１１ｐにおける左右両側における操作面１００を配した側に取付部１５ｆ…を設け、他の側に取付部１５ｒ…を設ける。取付部１５ｆ…は、図２に示すように、外方に突出部を生じない係止構造により構成する。例示の場合、内プレート部材１１ｐの側面における前後位置に差込用のスリット６６ｓ…を形成するとともに、下保護カバー部１４の側面における上端部に、内側に略直角に折曲した折曲部を形成し、この折曲部の先端に、当該スリット６６ｓ…に差し込む突起片６６ｐ…を一体形成した。また、他方の取付部１５ｒ…は、図２に示すボルトナット６５…を用いた一般的な取付構造を採用できる。
【００５４】
このように、下保護カバー部１４の取付けに際し、加熱筒２の径方向Ｆｄにおける左右両側に、加熱筒２側に取付ける取付部１５ｆ…，１５ｒ…を設けるとともに、少なくとも当該左右両側における操作面１００を配した側の取付部１５ｆ…を、外方に突出部を生じない係止構造に構成すれば、オペレータが作業するエリアにおける無用な突出部分を排除できるため、作業性及び安全性、更にはデザイン性（形状性）の向上に寄与できる利点がある。
【００５５】
次に、本実施形態に係る加熱筒カバー１の機能（作用）について、図１〜図９を参照して説明する。
【００５６】
射出成形機Ｍの場合、生産時における運転中は加熱筒装置Ｈにおける加熱筒本体２ｍにおける各加熱領域Ｚｆ，Ｚｍ，Ｚｒｆ，Ｚｒｒが各加熱部３ａ…と冷却部４ａ…により、設定温度となるように温調制御される。即ち、各加熱領域Ｚｆ，Ｚｍ，Ｚｒｆ，Ｚｒｒの加熱温度が温度センサＴ…により検出され、検出された加熱温度が設定温度となるように、成形機コントローラ４１により給電部４２とエア供給部４３がフィードバック制御が行われる。この場合、加熱制御時には、加熱部３ａ…のバンドヒータＢ…が給電部４２により通電制御され、冷却制御時には、冷却部４ａ…に対する通気量がエア供給部４３により制御される。
【００５７】
一方、加熱筒２の周囲に放熱が行われるが、断熱性を有する保温カバー部５により放熱が阻止（断熱）される。即ち、保温カバー部５は、加熱筒２に取付けることにより温調機構３ｍとの間に所定の遮蔽空間Ｓを形成して加熱筒２の少なくとも上半部２ｕを覆うカバー体部５ｍと、このカバー体部５ｍの内面５ｍｉから温調機構３ｍに向けて突出し、遮蔽空間Ｓを複数の閉空間Ｓａｂ，Ｓｃｄ…に分割する複数の仕切部５ａ，５ｂｃ…とを一体に有する基本構造を備えるため、保温性の向上による消費電力の低減及び省エネルギ性の向上を図れるという基本的な作用効果を得ることができる。
【００５８】
加えて、加熱部３ａ，３ｂ…による空気の対流（移動）が仕切部５ａ，５ｂｃ…により阻止及び断熱されるため、任意の閉空間Ｓａｂ，Ｓｃｄ…による他の閉空間Ｓａｂ，Ｓｃｄ…への影響（干渉）が大きく低減される。この結果、各閉空間Ｓａｂ，Ｓｃｄ…単位における温度制御の応答性が高められるとともに、軸方向Ｆｓの温度分布（温度勾配）に対する制御性も高められる。しかも、結果的に更なる消費電力の低減による省エネルギ性の向上も図られる。また、閉空間Ｓａｂ，Ｓｃｄ…は、加熱筒２における異なる加熱領域Ｚｆ，Ｚｍ，Ｚｒｆ，Ｚｒｒ毎に設定されるため、各加熱領域Ｚｆ，Ｚｍ…毎に設定される設定温度に対する追従性（制御性）もより高められる。
【００５９】
図７〜図９は、本実施形態に係る加熱筒カバー１を用いた場合と従来の加熱筒カバー（各仕切部５ａ…が無いカバー）を用いた場合における各特性に対する影響を示した試験結果（データ）を示す。
【００６０】
図７は、ショット数〔回〕に対する加熱筒２における電力量〔Ｗｈ〕の変化特性を示し、Ｐｉが本実施形態に係る加熱筒カバー１を用いた場合の特性線、Ｐｎが従来の加熱筒カバーを用いた場合の特性線をそれぞれ示している。本実施形態に係る加熱筒カバー１を用いることにより、消費電力を低減し、省エネルギ性が高められることを確認できる。従来の加熱筒カバーに対する改善率（削減率）は概ね２．３〔％〕となる。
【００６１】
また、図８は、ショット数〔回〕に対する加熱筒２におけるヒータ出力率〔％〕の変化特性を示し、Ｑｍｉが本実施形態に係る加熱筒カバー１を用いた加熱筒２における中間部加熱領域Ｚｍの特性線、Ｑｍｎが従来の加熱筒カバーを用いた加熱筒２における中間部加熱領域Ｚｍの特性線、Ｑｒｉが本実施形態に係る加熱筒カバー１を用いた加熱筒２における後部前側加熱領域Ｚｒｆの特性線、Ｑｒｎが従来の加熱筒カバーを用いた加熱筒２における後部前側加熱領域Ｚｒｆの特性線をそれぞれ示している。本実施形態に係る加熱筒カバー１を用いることにより、中間部加熱領域Ｚｍ及び後部前側加熱領域Ｚｒｆのいずれにおいてもヒータ出力率〔％〕が低い状態を維持し、安定性が確保されていることを確認できる。
【００６２】
さらに、図９は、ショット数〔回〕に対する樹脂温度〔℃〕の変化特性を示し、Ｒｉが本実施形態に係る加熱筒カバー１を用いた場合の特性線、Ｒｎが従来の加熱筒カバーを用いた場合の特性線をそれぞれ示している。本実施形態に係る加熱筒カバー１を用いることにより、樹脂温度〔℃〕の安定化が図られていることを確認できる。
【００６３】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００６４】
例えば、実施形態では、カバー体部５ｍは加熱筒２の上半部２ｕを覆う形状に形成する場合を示したが、下半部２ｄを含めた場合を排除するものではない。また、仕切部５ａ，５ｂｃ…により遮蔽空間Ｓを四つの閉空間Ｓａｂ，Ｓｃｄ…に分割した場合を例示したが、閉空間Ｓａｂ，Ｓｃｄ…（仕切部５ａ，５ｂｃ…）の数は任意である。一方、加熱部３ａ…と冷却部４ａ…を組合わせた例を示したが、加熱部３ａ…のみであってもよい。この際、加熱部３ａ…としてバンドヒータＢ…を例示し、冷却部４ａ…として空冷式を例示したが、例示のものに限定されるものではない。また、仕切部５ａ，５ｂｃ，５ｄｅ…は、先端部の少なくとも一部を、加熱部３ａ，３ｂ，３ｃ…の軸方向Ｆｓにおける相互間に生じる隙間Ｓｇ…に介在させる場合を例示したが、介在させない場合を排除するものではない。さらに、下保護カバー部１２と下保護カバー部１４は本発明の必須構成要件となるものではない。
【産業上の利用可能性】
【００６５】
本発明に係る加熱筒カバー及び加熱筒装置は、加熱筒本体の外周面に少なくとも複数の加熱部を付設してなる加熱筒を備える各種射出成形機に利用できる。
【符号の説明】
【００６６】
１：加熱筒カバー，２：加熱筒，２ｍ：加熱筒本体，２ｍｓ：加熱筒本体の外周面，２ｕ：加熱筒の上半部，２ｄ：加熱筒の下半部，３ａ：加熱部，３ｂ：加熱部，３ｃ…：加熱部，３ｍ：温調機構，４ａ：冷却部，４ｂ：冷却部，４ｃ…：冷却部，５：保温カバー部，５ａ：仕切部，５ｂｃ：仕切部，５ｄｅ：仕切部，５ｍ：カバー体部，５ｍｉ：カバー体部の内面，１１：複層構造，１１ｐ：プレート部材（下プレート部材），１１ｑ：プレート部材（上プレート部材），１２：保護カバー部（上保護カバー部），１３ｆ：取付部，１３ｒ：取付部，１４：下保護カバー部，１５ｆ：取付部，１５ｒ：取付部，１００：操作面，Ｍ：射出成形機，Ｈ：加熱筒装置，Ｆｓ：軸方向，Ｆｄ：径方向，Ｆｆ：周方向，Ｂ…：バンドヒータ，Ｓ：遮蔽空間，Ｓａｂ：閉空間，Ｓｃｄ…：閉空間，Ｓｐ：隙間，Ｓｇ：隙間，Ｚｆ：前部加熱領域，Ｚｍ：中間部加熱領域，Ｚｒｆ：後部前側加熱領域，Ｚｒｒ：後部後側加熱領域
【図１】
2018001713.tif 000003
【図２】
2018001713.tif 000004
【図３】
2018001713.tif 000005
【図４】
2018001713.tif 000006
【図５】
2018001713.tif 000007
【図６】
2018001713.tif 000008
【図７】
2018001713.tif 000009
【図８】
2018001713.tif 000010
【図９】
2018001713.tif 000011
【手続補正書】
【提出日】平成29年11月24日(2017.11.24)
【手続補正１】
【補正対象書類名】明細書
【補正対象項目名】００３４
【補正方法】変更
【補正の内容】
【００３４】
この場合、加熱部３ｓは射出ノズル２ｎ（ノズル加熱領域）を、また、冷却部４ａを含む加熱部３ａ及び冷却部４ｂを含む加熱部３ｂは、加熱筒本体２ｍの前部（前部加熱領域Ｚｆ）を、冷却部４ｃを含む加熱部３ｃ及び冷却部４ｄを含む加熱部３ｄは、加熱筒本体２ｍの中間部（中間部加熱領域Ｚｍ）を、冷却部４ｅを含む加熱部３ｅは、加熱筒本体２ｍの後部前側（後部前側加熱領域Ｚｒｆ）を、冷却部４ｆを含む加熱部３ｆは、加熱筒本体２ｍの後部後側（後部後側加熱領域Ｚｒｒ）を、それぞれ加熱又は冷却（空冷）する。このように、加熱筒本体２ｍにおける異なる加熱領域となる、前部加熱領域Ｚｆ，中間部加熱領域Ｚｍ，後部前側加熱領域Ｚｒｆ，後部後側加熱領域Ｚｒｒに、冷却部４ａ…を含む加熱部３ａ…を設ければ、特に、スクリュ２２の回転により樹脂材料が剪断される際の剪断熱の発生部位における無用な温度上昇を抑制できるため、良好な温度制御を実現し、成形品質の向上に寄与できる。
【手続補正２】
【補正対象書類名】明細書
【補正対象項目名】００６６
【補正方法】変更
【補正の内容】
【００６６】
１：加熱筒カバー，２：加熱筒，２ｍ：加熱筒本体，２ｍｓ：加熱筒本体の外周面，２ｕ：加熱筒の上半部，２ｄ：加熱筒の下半部，３ａ：加熱部，３ｂ：加熱部，３ｃ…：加熱部，３ｍ：温調機構，４ａ：冷却部，４ｂ：冷却部，４ｃ…：冷却部，５：保温カバー部，５ａ：仕切部，５ｂｃ：仕切部，５ｄｅ：仕切部，５ｍ：カバー体部，５ｍｉ：カバー体部の内面，１１：複層構造，１１ｐ：プレート部材（内プレート部材），１１ｑ：プレート部材（外プレート部材），１２：保護カバー部（上保護カバー部），１３ｆ：取付部，１３ｒ：取付部，１４：下保護カバー部，１５ｆ：取付部，１５ｒ：取付部，１００：操作面，Ｍ：射出成形機，Ｈ：加熱筒装置，Ｆｓ：軸方向，Ｆｄ：径方向，Ｆｆ：周方向，Ｂ…：バンドヒータ，Ｓ：遮蔽空間，Ｓａｂ：閉空間，Ｓｃｄ…：閉空間，Ｓｐ：隙間，Ｓｇ：隙間，Ｚｆ：前部加熱領域，Ｚｍ：中間部加熱領域，Ｚｒｆ：後部前側加熱領域，Ｚｒｒ：後部後側加熱領域
【手続補正３】
【補正対象書類名】図面
【補正対象項目名】図３
【補正方法】変更
【補正の内容】
【図３】
2018001713.tif 000012
【手続補正４】
【補正対象書類名】図面
【補正対象項目名】図５
【補正方法】変更
【補正の内容】
【図５】
2018001713.tif 000013